(57)【要約】【課題】画像の縮小に単純間引きを使用することにより、処理の高速化を図る。【解決手段】電気信号に変換された画像信号を処理する信号処理部と、画像を圧縮する画像圧縮手段と、圧縮された画像データを記憶媒体に記憶する記録手段とを有するサムネイル画像作成装置であって、画像を一定時間表示する表示手段と、ユーザーの操作により前記表示手段による表示の有無を設定する設定手段とを有し、前記表示手段による表示が無い場合は、表示有りの場合と異なる記録用のサムネイル画像作成手段を用いる。【選択図】        図１
2004241942.tif 000002
【特許請求の範囲】
【請求項１】
電気信号に変換された画像信号を処理する信号処理部と、
画像を圧縮する画像圧縮手段と、
圧縮された画像データを記憶媒体に記憶する記録手段とを有するサムネイル画像作成装置であって、
画像を一定時間表示する表示手段と、
ユーザの操作により前記表示手段による表示の有無を設定する設定手段とを有し、
前記表示手段による表示が無い場合は、表示有りの場合と異なるサムネイル画像作成手段を用いることを特徴とするサムネイル画像作成装置。
【請求項２】
前記表示手段による表示の有無によりサムネイル作成手段を表示有りの場合と異なる手段を用いるかどうかの設定をユーザの選択により行うサムネイル作成方法選択手段を有することを特徴とする請求項１記載のサムネイル画像作成装置。
【請求項３】
前記サムネイル作成手段は、前記表示手段による表示が無しの場合に、単純間引きによりサムネイル画像を作成する手段を有することを特徴とする請求項１または２記載のサムネイル画像作成装置。
【請求項４】
前記サムネイル作成手段は、前記表示手段による表示が無しの場合に、単純間引きをした後に画素数変換処理をし、サムネイル画像を作成する手段を有することを特徴とする請求項１または２記載のサムネイル画像作成装置。
【請求項５】
サムネイル画像作成時に実施したサムネイル画像作成手段を、記録画像のヘッダ部分に記録するサムネイル作成手段記録手段を有することを特徴とする請求項１から４のいずれか１項に記載のサムネイル画像作成装置。
【請求項６】
電気信号に変換された画像信号を処理する信号処理部と、
画像を圧縮する画像圧縮工程と、
圧縮された画像データを記憶媒体に記憶する記録工程とを有するサムネイル画像作成方法であって、
画像を一定時間表示する表示工程と、
ユーザの操作により前記表示工程による表示の有無を設定する設定工程とを有し、
前記表示工程による表示が無い場合は、表示有りの場合と異なるサムネイル画像作成工程を用いることを特徴とするサムネイル画像作成方法。
【請求項７】
前記表示工程による表示の有無によりサムネイル作成工程を表示有りの場合と異なる工程を用いるかどうかの設定をユーザの選択により行うサムネイル作成方法選択工程を有することを特徴とする請求項６記載のサムネイル画像作成方法。
【請求項８】
前記サムネイル作成工程は、前記表示工程による表示が無しの場合に、単純間引きによりサムネイル画像を作成する工程を有することを特徴とする請求項６または７記載のサムネイル画像作成方法。
【請求項９】
前記サムネイル作成工程は、前記表示工程による表示が無しの場合に、単純間引きをした後に画素数変換処理をし、サムネイル画像を作成する工程を有することを特徴とする請求項６または７記載のサムネイル画像作成方法。
【請求項１０】
サムネイル画像作成時に実施したサムネイル画像作成工程を、記録画像のヘッダ部分に記録するサムネイル作成記録工程を有することを特徴とする請求項６から９のいずれか１項に記載のサムネイル画像作成方法。
【発明の詳細な説明】
【０００１】
【発明の属する技術分野】
本発明は、記録用のサムネイル画像を作成する手段を有するサムネイル画像作成装置及びサムネイル画像作成方法に関する。
【０００２】
【従来の技術】
従来のデジタルカメラでは、静止画像撮影直後に一定時間、撮影した画像を表示装置上に表示する機能（確認画像表示機能）を有することが一般的となっている。
【０００３】
また、ユーザの設定により、この確認画像表示機能を使用せず、撮影後は直ちに撮影可能な状態（スルー画像の表示状態）に戻る機能を有することも一般的となっている。
【０００４】
画像の記録メディアへの記録時に、縮小画像（サムネイル）を記録ファイルの先頭のヘッダ部分に添付する方法をとることが多い。サムネイル画像は、ファイルの内容を高速に画像として表示することを目的としているため、画素数や画質を低く抑えることが多い。このため、通常、添付するサムネイル画像のサイズは（１６０×１２０）などを用いる。このサムネイル画像を作成する方法として、表示用に作成した確認用表示画像を画素数変換により縮小して作成する方法がある。これにより、ＣＣＤから取り込んだ大容量の画像データを扱うことなく高速にサムネイル作成を行うことが可能となる。
【０００５】
図４は、従来のサムネイル作成の処理の流れを示すフローチャートである。図４においては、まず静止画の取り込み後（ステップＳ４１）、フィルタリング処理を含む画素数変換により確認用表示画像を作成する（ステップＳ４２）。次に、確認表示の有無の設定を判別し（ステップＳ４３）、有りの場合には確認画像の表示を行い（ステップＳ４４）、無しの場合には表示を行わない。その後サムネイル画像の作成を行うが（ステップＳ４５）、ここでは、これまでの確認画像表示の有無にかかわらず、確認画像用として作成した画像を縮小し、サムネイル画像を生成する。ここで、サムネイル画像の生成にあたって、フィルタリング処理を含む画素数変換を行う方法によるか、単純間引きの方法によるかは、サムネイル画像に求める画質とサムネイル作成の高速化要求との関係において決定する。サムネイル画像を生成した後、図３に示す画像データ記録形式に従うべくファイルヘッダを作成し（ステップＳ４６）、サムネイル画像及び主画像を圧縮し（ステップＳ４７，Ｓ４８）、画像記録データの作成を行う。このようにして作成された記録用データを、メモリカードなどの記憶媒体に書き込み、記録を完了する（ステップＳ４９）。
【０００６】
特許文献１では、高速なクイックレビュー動作と、高画質な画像再生動作を簡単な回路構成で実現し、低コストで小型な画像表示装置及び画像表示方法を提供する技術が開示されている。
【０００７】
また、特許文献２では、大容量のフレームメモリを用いずに独立した小容量の表示用のデータバッファと記録用のデータバッファとを用いてプレビュー画像の表示を高速に行うとともに同時に撮影画像を記録し、撮影間隔を短縮することが可能な電子カメラを提供する技術が開示されている。
【０００８】
【特許文献１】
特開２０００−２９３１４５号公報
【特許文献２】
特開２００１−１９７３４６号公報
【０００９】
【発明が解決しようとする課題】
近年の高画素化されたＣＣＤを用いるデジタルカメラにあっては、ＣＣＤから取り込んだ時点での静止画の画像データ量が表示装置の表示能力に比べて大きすぎ、表示装置での表示が行えない場合がある。このため、撮影直後に取り込み画像から表示用の画像を、フィルタリング処理を伴う画素数変換処理により縮小生成し、表示装置にはこの縮小画像を表示する方法をとることが多い。ここで作成する表示用画像の大きさは、表示装置のハードウェア上の制約にも依存するが、ＶＧＡサイズ（６４０×６４０）等が一般的である。例えば、３００万画素クラスのＣＣＤを用い、ＣＣＤからの取り込み画像のサイズが２０４８×１５３６、表示用画像のサイズが６４０×４８０である場合を想定すると、画像サイズの変換には、フィルタリング処理を伴う画素数変換信号処理を行う必要がある。この理由は、両者の画像サイズ比が整数倍になっていないため、単純間引きによる画像作成が行えないということもあるが、整数倍になっていたとしても、単純間引きによる方法ではエリアシングによる画像劣化が発生するため、撮影した画像の確認用としては不適切である点が挙げられる。
【００１０】
また、図４による方法においては、確認用画像を必要としない場合にあっても、フィルタリングを伴う確認用画像の生成方法を用いることになり、不必要に時間がかかる。
【００１１】
本来、サムネイル画像は、画像の概略を確認するためのものであり、画素数も少ないことから、画質は多少犠牲になっても問題となることは少ない。このため、画像の縮小に単純間引きを使用することにより、処理の高速化を図ることが可能である。
【００１２】
また、特許文献１記載の発明は、ダウンサンプル画像とフル画素の画像とを同時に生成する方法に関する発明であり、特許文献２記載の発明は、レックレビュー用に専用ハードウェアを用いる発明であるので、本発明とは異なる。
【００１３】
本発明は、上記事情に鑑みてなされたものであり、確認表示が無しの場合には、記録用のサムネイル画像作成方法を確認表示有りの場合とは異なる方法により行うことを目的とする。
【００１４】
また、確認表示の有無によってサムネイル作成方法を変えるかどうかの設定を、ユーザの選択により行うことができる機能を有することを目的とする。
【００１５】
また、確認表示が無しの場合のサムネイル画像作成方法として、単純間引きを行う方法を用いることを目的とする。
【００１６】
また、確認表示無しの場合のサムネイル画像作成方法として、単純間引き後に画素数変換処理を行うことを目的とする。
【００１７】
また、サムネイル画像作成時に実施したサムネイル作成方法について、記録画像のヘッダ部分に記録することを目的とする。
【００１８】
【課題を解決するための手段】
上記目的を達成するために、請求項１記載の発明は、電気信号に変換された画像信号を処理する信号処理部と、画像を圧縮する画像圧縮手段と、圧縮された画像データを記憶媒体に記憶する記録手段とを有するサムネイル画像作成装置であって、画像を一定時間表示する表示手段と、ユーザの操作により前記表示手段による表示の有無を設定する設定手段とを有し、前記表示手段による表示が無い場合は、表示有りの場合と異なるサムネイル画像作成手段を用いることを特徴としている。
【００１９】
請求項２記載の発明は、請求項１記載の発明において、前記表示手段による表示の有無によりサムネイル作成手段を表示有りの場合と異なる手段を用いるかどうかの設定をユーザの選択により行うサムネイル作成方法選択手段を有することを特徴としている。
【００２０】
請求項３記載の発明は、請求項１または２記載の発明において、前記サムネイル作成手段は、前記表示手段による表示が無しの場合に、単純間引きによりサムネイル画像を作成する手段を有することを特徴としている。
【００２１】
請求項４記載の発明は、請求項１または２記載の発明において、前記サムネイル作成手段は、前記表示手段による表示が無しの場合に、単純間引きをした後に画素数変換処理をし、サムネイル画像を作成する手段を有することを特徴としている。
【００２２】
請求項５記載の発明は、請求項１から４のいずれか１項に記載の発明において、サムネイル画像作成時に実施したサムネイル画像作成手段を、記録画像のヘッダ部分に記録するサムネイル作成手段記録手段を有することを特徴としている。
【００２３】
請求項６記載の発明は、電気信号に変換された画像信号を処理する信号処理部と、画像を圧縮する画像圧縮工程と、圧縮された画像データを記憶媒体に記憶する記録工程とを有するサムネイル画像作成方法であって、画像を一定時間表示する表示工程と、ユーザの操作により前記表示工程による表示の有無を設定する設定工程とを有し、前記表示工程による表示が無い場合は、表示有りの場合と異なるサムネイル画像作成工程を用いることを特徴としている。
【００２４】
請求項７記載の発明は、請求項６記載の発明において、前記表示工程による表示の有無によりサムネイル作成工程を表示有りの場合と異なる工程を用いるかどうかの設定をユーザの選択により行うサムネイル作成方法選択工程を有することを特徴としている。
【００２５】
請求項８記載の発明は、請求項６または７記載の発明において、前記サムネイル作成工程は、前記表示工程による表示が無しの場合に、単純間引きによりサムネイル画像を作成する工程を有することを特徴としている。
【００２６】
請求項９記載の発明は、請求項６または７記載の発明において、前記サムネイル作成工程は、前記表示工程による表示が無しの場合に、単純間引きをした後に画素数変換処理をし、サムネイル画像を作成する工程を有することを特徴としている。
【００２７】
請求項１０記載の発明は、請求項６から９のいずれか１項に記載の発明において、サムネイル画像作成時に実施したサムネイル画像作成工程を、記録画像のヘッダ部分に記録するサムネイル作成記録工程を有することを特徴としている。
【００２８】
【発明の実施の形態】
以下、本発明の実施の形態を添付図面を参照しながら詳細に説明する。なお、デジタルカメラを例にとり説明をするが、本発明は、画像表示手段を有する画像形成装置等においても実施をすることができる。
【００２９】
図１は、標準的なデジタルカメラの構成例を示す図である。図１は、画像撮像部１と、処理システム部２と、ＣＣＤ３と、ＣＤＳ  Ａ／Ｄ４と、モータドライバ５と、Ｔｉｍｉｎｇ  ＳＧ６と、ストロボ７と、デジタル信号処理回路８と、ＤＭＡＣ９と、画像圧縮伸長回路１０と、画素数変換（リサイズ）回路１１と、ＶＩＤＥＯエンコーダ１２と、表示装置１３と、記憶媒体制御回路１４と、データ記憶メモリ１５と、通信制御回路１６と、通信インターフェース１７と、メモリ制御回路１８と、メインメモリ１９と、マイコン２０と、ＥＥＰＲＯＭ２１と、カメラ操作部２２と、レンズを含む光学系２３と、シャッター、しぼり等有する撮影部２４とを有し構成されている。
【００３０】
画像撮像部１でマイコン２０からストロボ７と、モータドライバ５と、Ｔｉｍｉｎｇ  ＳＧ６とに指示が送られ、撮影の光学系２３と、撮影部２４とを動作させ、Ｔｉｍｉｎｇ  ＳＧ６は同期信号を生成するユニットであり、ＴｉｍｉｎｇＳＧ６から、ＣＣＤ３と、ＣＤＳ  Ａ／Ｄ部４とに信号を送り、ＣＣＤ３等のイメージャから得られた画像信号をＣＤＳ  Ａ／Ｄ部４でデジタルデータに変換して処理システム部２に渡す。処理システム部２においては、得られたＲＡＷ形式の画像データからＲＧＢもしくはＹＵＶ形式の画像データの生成、必要に応じて画像圧縮伸長回路１０により画像データのリサイズ、画像の圧縮等の処理を行う。ここで、画像の圧縮方法については、可逆あるいは非可逆のいずれの方法を用いても良い。
【００３１】
図２は、本発明のサムネイル画像作成方法を示すフローチャートである。図２においては、まず静止画の取り込み後、確認表示の有無の設定を判別し（ステップＳ２１）、有りの場合にはフィルタリング処理を含む画素数変換により確認用表示画像を作成し（ステップＳ２２）、確認画像の表示を行うが（ステップＳ２３）、無しの場合には単純間引きにより縮小画像の作成を行う（ステップＳ２４）。その後サムネイル画像の作成を行うが（ステップＳ２５）、ここでは、画像確認有りの場合には、確認画像用として作成した画像を縮小しサムネイル画像を生成し、画像確認無しの場合には、単純間引きにより作成した縮小画像を縮小しサムネイル画像を作成する。ここで、サムネイル画像の生成にあたって、フィルタリング処理を含む画素数変換を行う方法によるか、単純間引きの方法によるかは、サムネイル画像に求める画質とサムネイル作成の高速化要求との関係において決定する点は従来の方法と同様である。サムネイル画像を生成した後、図３に示す画像データ記録形式に従うべくファイルヘッダを作成し（ステップＳ２６）、サムネイル画像および主画像を圧縮し（ステップＳ２７，２８）、画像記録データの作成を行う点も従来の方法と同様である。このようにして作成された記録用データを、メモリカードなどの記憶媒体に書き込み、記録を完了する（ステップＳ２９）。
【００３２】
図４の方法と異なる点として、ＣＣＤ取り込み後にユーザ設定による確認画像表示の有無を判定し、画像確認を行わない場合には表示用画像の作成を行う処理に代えて単純間引きにより縮小画像を作成する点にある。これにより、確認用画像をフィルタリング処理を含む画素数変換による方法により作成する場合と比較して高速に縮小画像を作成することが可能となる。
【００３３】
【発明の効果】
以上の説明から明らかなように、本発明によれば、確認表示が無しの場合には記録用のサムネイル画像作成方法を確認表示有りの場合とは異なる方法により行うため、効率よくサムネイル画像を作成することができる。
【００３４】
また、本発明によれば、確認表示の有無によってサムネイル作成方法を変えるかどうかの設定をユーザの選択により行える機能を有するため、用途に応じて適切なサムネイル画像作成方法を選択することができる。
【００３５】
また、本発明によれば、確認表示が無しの場合のサムネイル画像作成方法として、単純間引きを行う方法を用いるため、高速にサムネイル画像を作成することができる。また、不必要なフィルタリング演算を行わないため、省電力効果も有することができる。
【００３６】
また、本発明によれば、確認表示が無しの場合のサムネイル画像作成方法として、単純間引きと画素数変換処理とを直列に併用するため、高速かつ高画質なサムネイル画像を作成することができる。
【００３７】
サムネイル画像作成時に実施したサムネイル作成方法について、記録画像のヘッダ部分に記録するため、必要に応じて撮影後のサムネイル画質の解析に役立てることができる。
【図面の簡単な説明】
【図１】標準的なデジタルカメラの構成例を示す図である。
【図２】本発明のサムネイル画像作成方法を示すフローチャートである。
【図３】画像データの記録形式を示す図である。
【図４】従来のサムネイル画像作成方法を示すフローチャートである。
【符号の説明】
１  画像撮像部
２  処理システム部
３  ＣＣＤ
１３  表示装置
２０  マイコン
【図１】
2004241942.tif 000003
【図２】
2004241942.tif 000004
【図３】
2004241942.tif 000005
【図４】
2004241942.tif 000006